【手続補正書】
【提出日】平成20年5月8日(2008.5.8)
【手続補正１】
【補正対象書類名】明細書
【補正対象項目名】特許請求の範囲
【補正方法】変更
【補正の内容】
【特許請求の範囲】
【請求項１】  複数の色材と光沢剤とを用いてカラー画像を再現するカラープリンタと、前記カラープリンタへカラー画像データを送出するコンピュータとから構成される印刷システムにおいて、
複数のカラーオブジェクトのカラー画像データを生成する生成手段と、
生成された複数のカラーオブジェクトを表示させ、オブジェクト毎に光沢度を設定する設定手段とを有することを特徴とする印刷システム。
【請求項２】  複数のカラーオブジェクト毎に設定された光沢度に基づき、前記カラー画像データを色及び光沢度を表すデータに展開する展開手段と、
前記色及び光沢度を表すデータを前記カラープリンタの色材量と光沢剤量とに変換する変換手段と、
前記色材量と光沢剤量とに基づき、カラー画像を形成する画像形成手段とを更に有することを特徴とする請求項１に記載の印刷システム。
【請求項３】  前記展開手段は、同一のオブジェクトを同一の光沢度を表すデータに展開することを特徴とする請求項２に記載の印刷システム。
【請求項４】  前記変換手段は、前記色及び光沢度から前記カラープリンタの色材量と光沢剤量へ分解処理するＬＵＴ手段と、補間処理手段とを有することを特徴とする請求項２に記載の印刷システム。
【請求項５】  前記ＬＵＴ手段は、前記光沢度の値に応じて、前記色材量の混合比が異なった場合でも、前記画像形成手段で形成されるカラー画像の光沢度が入力した光沢度と同じになるように光沢剤量を設定して作成したＬＵＴを含むことを特徴とする請求項４に記載の印刷システム。
【請求項６】  前記ＬＵＴ手段は、前記光沢度がゼロの場合の色材量へ分解処理するＬＵＴを作成する手段と、
作成したＬＵＴの要素値に基づき、前記光沢剤量を設定する手段とを有することを特徴とする請求項４に記載の印刷システム。
【請求項７】  前記ＬＵＴ手段は、前記光沢度がゼロの場合の前記形成手段での色再現域の最大となるラインを規定する複数の一次元色分解テーブルを作成する第１の作成手段と、
前記光沢度がゼロの場合の前記形成手段での色再現域の内部ラインの色分解を規定する一次元色分解テーブルを作成する第２の作成手段と、
前記第１の作成手段で作成された複数の一次元色分解テーブルに基づき、前記光沢剤量を設定する第１の設定手段と、
前記第２の作成手段で作成された一次元色分解テーブルに基づき、前記光沢剤量を設定する第２の設定手段とを有し、
前記補間処理手段は、前記第１及び第２の作成手段で作成された各一次元分解テーブルに基づき、各一次元分解テーブル間を補間する分解テーブルを作成することを特徴とする請求項４に記載の印刷システム。
【請求項８】  前記色再現域の最大となるラインは、白から色材の一次色又は二次色を通って黒へ至るラインであることを特徴とする請求項７に記載の印刷システム。
【請求項９】  前記色再現域の内部ラインは、白から黒へのグレイラインであることを特徴とする請求項７に記載の印刷システム。
【請求項１０】  前記補間処理手段は、前記色材量と光沢剤量毎にテーブルを複数の三角形に分割する手段を有し、
前記三角形の三辺に対して色材量と光沢剤量の同量の点を結んで補間処理することを特徴とする請求項７に記載の印刷システム。
【請求項１１】  前記補間処理手段は、前記ＬＵＴの入力色空間に対して、白、黒、色材の一次色に相当する点、及び二次色に相当する点の４点で構成される複数の四面体に分割する手段と、
前記四面体を複数の三角形に分割する手段と、
前記三角形の内部を二次元補間する手段とを有することを特徴とする請求項７に記載の印刷システム。
【請求項１２】  前記補間処理手段は、前記色材量と光沢剤量毎にテーブルを複数の三角形に分割する手段と、
前記三角形の三辺に対して二次元補間を行い、色材量又は光沢剤量の等高線を生成する手段と、
前記二次元の補間結果から等高線を求めるべきテーブルの距離を算出する手段と、
算出した距離の最も小さいものを色材量又は光沢剤量と決定する手段とを有することを特徴とする請求項７に記載の印刷システム。
【請求項１３】  前記二次元補間は、三角形の三辺における色材量又は光沢剤量の最大値のポイントを検出し、
前記三辺の３つの最大値間の大小関係を導き、
前記三辺の最大値のポイントの間を補間し、
前記三角形の三辺と、３つの最大値のポイントを結ぶ３直線の計６直線に基づき、前記色材量又は光沢剤量の等レベルの点を結んで前記等高線を生成することを特徴とする請求項１２に記載の印刷システム。
【請求項１４】  前記カラー画像データの色特性に応じたプロファイル情報を格納するソースプロファイル手段と、
前記カラープリンタで再現される光沢度に応じたプロファイル情報を格納するデスティネーションプロファイル手段と、
前記色特性に応じたプロファイル情報と前記光沢度に応じたプロファイル情報とに基づいて、カラーマッチング処理する手段とを更に有することを特徴とする請求項２に記載の印刷システム。
【請求項１５】  前記デスティネーションプロファイル手段は、前記光沢度を複数の段階に区切り、各段階毎の色再現特性に応じたプロファイル情報を格納していることを特徴とする請求項１４に記載の印刷システム。
【請求項１６】  コンピュータから複数のカラーオブジェクト毎に光沢度が設定されたカラー画像データを入力し、画像処理を施してカラー画像を再現するカラー画像形成装置へ出力する画像処理装置であって、
複数のカラーオブジェクト毎に設定された光沢度に基づき、前記カラー画像データを色及び光沢度を表すデータに展開する展開手段と、
前記色及び光沢度を表すデータをカラー画像形成装置の色材量と光沢剤量とに変換する変換手段とを有することを特徴とする画像処理装置。
【請求項１７】  前記カラー画像データの色特性に応じたプロファイル情報を格納するソースプロファイル手段と、
前記カラープリンタで再現される光沢度に応じたプロファイル情報を格納するデスティネーションプロファイル手段と、
前記色特性に応じたプロファイル情報と前記光沢度に応じたプロファイル情報とに基づいて、カラーマッチング処理する手段とを更に有することを特徴とする請求項１６に記載の画像処理装置。
【請求項１８】  前記色材量と光沢剤量とを前記カラープリンタで再現可能なビット数に変換する中間調処理手段を更に有することを特徴とする請求項１６又は１７に記載の画像処理装置。
【請求項１９】  コンピュータで、複数のカラーオブジェクトのカラー画像データを生成し、
生成された複数のカラーオブジェクトを表示させ、オブジェクト毎に光沢度を設定し、
カラープリンタで、前記コンピュータにより設定された光沢度に応じて、複数の色材と光沢剤とを用いてカラー画像を再現することを特徴とする印刷システムの印刷方法。
【請求項２０】  コンピュータから複数のカラーオブジェクト毎に光沢度が設定されたカラー画像データを入力し、画像処理を施してカラー画像を再現するカラー画像形成装置へ出力する画像処理装置の処理方法であって、
複数のカラーオブジェクト毎に設定された光沢度に基づき、前記カラー画像データを色及び光沢度を表すデータに展開し、
前記色及び光沢度を表すデータをカラー画像形成装置の色材量と光沢剤量とに変換することを特徴とする画像処理装置の処理方法。
【請求項２１】  印刷システムの印刷方法の各工程をコンピュータに実行させるためのプログラムが格納されたコンピュータ読み取り可能な記憶媒体であって、
前記印刷システムの印刷方法は、
複数のカラーオブジェクトのカラー画像データを生成する工程と、
生成された複数のカラーオブジェクトを表示させ、オブジェクト毎に光沢度を設定する工程と、
カラープリンタに、前記コンピュータにより設定された光沢度に応じて、複数の色材と光沢剤とを用いてカラー画像を再現するように制御する工程とを有することを特徴とする記憶媒体。
【請求項２２】  コンピュータから複数のカラーオブジェクト毎に光沢度が設定されたカラー画像データを入力し、画像処理を施してカラー画像を再現するカラー画像形成装置へ出力する画像処理装置の処理方法の各工程をコンピュータに実行させるためのプログラムが格納されたコンピュータ読み取り可能な記憶媒体であって、
前記画像処理装置の処理方法は、
複数のカラーオブジェクト毎に設定された光沢度に基づき、前記カラー画像データを色及び光沢度を表すデータに展開する工程と、
前記色及び光沢度を表すデータをカラー画像形成装置の色材量と光沢剤量とに変換する工程とを有することを特徴とする記憶媒体。
【手続補正２】
【補正対象書類名】明細書
【補正対象項目名】０００１
【補正方法】変更
【補正の内容】
【０００１】
【発明の属する技術分野】
本発明は、複数の色材と光沢剤とを用いてカラー画像を再現するカラープリンタと、前記カラープリンタへカラー画像データを送出するコンピュータとから構成される印刷システム、印刷システムの印刷方法、画像処理装置、画像処理装置の処理方法及び記憶媒体に関するものである。
【手続補正３】
【補正対象書類名】明細書
【補正対象項目名】０００５
【補正方法】変更
【補正の内容】
【０００５】
【課題を解決するための手段】
上記目的を達成するために、本発明は、複数の色材と光沢剤とを用いてカラー画像を再現するカラープリンタと、前記カラープリンタへカラー画像データを送出するコンピュータとから構成される印刷システムにおいて、複数のカラーオブジェクトのカラー画像データを生成する生成手段と、生成された複数のカラーオブジェクトを表示させ、オブジェクト毎に光沢度を設定する設定手段とを有することを特徴とする。
【手続補正４】
【補正対象書類名】明細書
【補正対象項目名】０００６
【補正方法】変更
【補正の内容】
【０００６】
また、上記目的を達成するために、本発明は、コンピュータから複数のカラーオブジェクト毎に光沢度が設定されたカラー画像データを入力し、画像処理を施してカラー画像を再現するカラー画像形成装置へ出力する画像処理装置であって、複数のカラーオブジェクト毎に設定された光沢度に基づき、前記カラー画像データを色及び光沢度を表すデータに展開する展開手段と、前記色及び光沢度を表すデータをカラー画像形成装置の色材量と光沢剤量とに変換する変換手段とを有することを特徴とする。